(57)【要約】【課題】簡単な構成で複数種類の操作を可能とする入力インターフェース装置を実現する。【解決手段】本発明に係る音声入力インターフェース装置１０は、互いに離間して配置される２つのマイク１１Ｌ・１１Ｒと、マイク１１Ｌ・１１Ｒの各々が取得した音声の波形、およびマイク１１Ｌ・１１Ｒの各々が音声を取得したタイミングに基づいて、入力操作の種類を決定する入力操作決定部１３と、を備える。【選択図】図１
2013156768.tif 000002
【特許請求の範囲】
【請求項１】
音声による入力操作を受け付ける入力インターフェース装置であって、
互いに離間して配置される複数のマイクと、
前記複数のマイクの各々が取得した音声の波形、および前記複数のマイクの各々が音声を取得したタイミングに基づいて、前記入力操作の種類を決定する入力操作決定手段と、を備えることを特徴とする入力インターフェース装置。
【請求項２】
前記入力操作決定手段は、前記複数のマイクの各々が取得した音声のうち、規定レベルを超える音声の波形、および前記複数のマイクの各々が前記規定レベルを超える音声を取得したタイミングに基づいて、前記入力操作の種類を決定することを特徴とする請求項１に記載の入力インターフェース装置。
【請求項３】
前記入力操作決定手段は、前記複数のマイクの各々が取得した音声から、前記入力インターフェース装置を搭載する機器が載置される物体と人指との接触音の波形を抽出する音声特徴抽出手段を備え、
前記入力操作決定手段は、前記接触音の波形、および前記複数のマイクの各々が前記接触音を取得したタイミングに基づいて、前記入力操作の種類を決定することを特徴とする請求項１または２に記載の入力インターフェース装置。
【請求項４】
前記入力操作決定手段は、前記波形に含まれるピークの数を、前記入力操作の種類を決定する判断基準としていることを特徴とする請求項１、２または３に記載の入力インターフェース装置。
【請求項５】
前記入力操作決定手段は、前記ピークの数が２以上である場合に、１つのピークを有する波形同士が途切れているか否かを、前記入力操作の種類を決定する判断基準としていることを特徴とする請求項４に記載の入力インターフェース装置。
【請求項６】
前記入力操作決定手段は、前記ピークの数が１である場合に、前記複数のマイクの各々が取得した音声の波形同士が同一であるか否かを、前記入力操作の種類を決定する判断基準としていることを特徴とする請求項４または５に記載の入力インターフェース装置。
【請求項７】
前記マイクの個数は２であることを特徴とする請求項１〜６のいずれか１項に記載の入力インターフェース装置。
【請求項８】
ユーザの操作を受け付ける装置として、請求項１〜７のいずれか１項に記載の入力インターフェース装置を搭載する電子機器。
【請求項９】
ユーザの操作を受け付ける装置として、請求項１〜７のいずれか１項に記載の入力インターフェース装置を搭載する携帯端末機器。
【請求項１０】
請求項１〜７のいずれか１項に記載の入力インターフェース装置の各手段としてコンピュータを動作させるプログラム。
【請求項１１】
請求項１０に記載のプログラムを記録したコンピュータ読取可能な記録媒体。
【発明の詳細な説明】
【技術分野】
【０００１】
本発明は、入力操作を受け付ける入力インターフェース装置に関し、特に、音声による入力操作を受け付ける入力インターフェース装置に関する。
【背景技術】
【０００２】
携帯電話機やＰＤＡ等の携帯端末機器では、ボタン入力による操作が主流であったが、近年、タッチパネルを用いて入力操作を受け付ける機器が普及している。
【０００３】
特許文献１には、タッチパネル表示制御システム、タッチパネル表示制御方法およびタッチパネル表示制御プログラムに関する発明であって、特に地図のように大量の情報から構成されており、情報を表示するために複数のスケールが必要となる情報についての操作方法および表示制御方法が開示されている。当該文献では、タッチパネル上で描かれた軌跡に基づき、表示の拡大・縮小を制御する技術が開示されており、ｉＰｈｏｎｅにおけるピンチイン・ピンチアウトといったジェスチャー入力に関する課題を解決するための技術も開示されている。
【０００４】
特許文献１に開示されている発明では、タッチパネルに「直接触れる」ことで拡大・縮小などの操作を実現している。そのため、例えば、飲食中、炊事中、その他両手がふさがるような家事を行っている間など、タッチパネルに触れられない状況では、機器に対する操作を行うことができない。
【０００５】
そこで、特許文献２および３では、タッチパネルに直接触れることなく、機器に対する操作を可能とする技術が提案されている。
【０００６】
特許文献２は、人間の発する音声による入力操作が可能なナビゲーション装置に関する発明を開示している。このナビゲーション装置では、マイクを介して入力された音声に含まれる経路説明情報を音声認識するとともに、その経路説明情報に含まれる距離語などの経路関連語どうしの関連関係を解析することにより、目的地の地図データ上の位置を推定する。なお、同様の音声検索機能が搭載されているスマートフォンも存在する。
【０００７】
特許文献３は、機器操作にジェスチャー入力を用いるジェスチャー入力装置及び方法に関する発明を開示している。より具体的には、撮像手段（カメラ）により撮影された映像に基づくジェスチャー認識とタッチパネル等の接触検知手段とを複合的に用いて、機器の入力操作を行うことにより、複雑な操作を直感的に行うことを可能としている。
【０００８】
特許文献２の発明では、音声（肉声）によって入力操作を行っているため、公共の場など、発声することが困難な環境での使用には適していない。また、小声で入力操作を行う場合であっても、端末を口に近づける必要があるため、端末を持たなくてはならない。そのため、端末に触れられない状況では、入力操作が困難である。
【０００９】
また、特許文献３の発明では、カメラを用いる必要があるため、消費電力が大きいという問題がある。また、スマートフォン等の携帯端末においては、ディスプレイ面へのカメラ装着が必要となり、端末コストが増加する。
【００１０】
これに対し、特許文献４には、４つのマイクロフォンを表示画面の各辺に配置し、表示画面の表面又は近傍で指示音が生じたときに、４つのマイクロフォンへの指示音のピークの到達時間差に基づいて、指示位置を演算する発明が開示されている。マイクロフォンを利用することにより、消費電力を抑え、製造コストを抑えることができる。
【先行技術文献】
【特許文献】
【００１１】
【特許文献１】特許第４６９５１５４号（２００９年９月１７日公開、２０１１年３月４日登録）
【特許文献２】特開２０１０−１４５２６２号公報（２０１０年７月１日公開）
【特許文献３】特開２００９−４２７９６号公報（２００９年２月２６日公開）
【特許文献４】特開２０１１−１０３１１２号公報（２０１１年５月２６日公開）
【発明の概要】
【発明が解決しようとする課題】
【００１２】
しかしながら、特許文献４に記載の技術では、マイクロフォンに入力される音のピークの到達タイミングのみを判断基準としているため、指示位置以外の情報を得ることができない。そのため、特許文献４に記載の技術を電子機器に対する入力操作に利用しても、単純な操作しか行うことができないという問題がある。
【００１３】
本発明は、上記の問題点を解決するためになされたもので、その目的は、簡単な構成で複数種類の操作を可能とする入力インターフェース装置を実現することにある。
【課題を解決するための手段】
【００１４】
上記の課題を解決するために、本発明に係る入力インターフェース装置は、音声による入力操作を受け付ける入力インターフェース装置であって、互いに離間して配置される複数のマイクと、前記複数のマイクの各々が取得した音声の波形、および前記複数のマイクの各々が音声を取得したタイミングに基づいて、前記入力操作の種類を決定する入力操作決定手段と、を備えることを特徴としている。
【００１５】
上記の構成によれば、入力操作決定手段は、複数のマイクの各々が音声を取得したタイミングに加え、複数のマイクの各々が取得した音声の波形に基づいて、入力操作の種類を決定する。これにより、ユーザは、携帯電話機に触れることなく、携帯電話機に対する複数種類の操作を行うことできる。また、マイクを利用することにより、カメラを用いる入力インターフェース装置と比べ、消費電力および製造コストを抑えることができる。したがって、簡単な構成で複数種類の操作を可能とする入力インターフェース装置を実現することができる。
【００１６】
本発明に係る入力インターフェース装置では、前記入力操作決定手段は、前記複数のマイクの各々が取得した音声のうち、規定レベルを超える音声の波形、および前記複数のマイクの各々が前記規定レベルを超える音声を取得したタイミングに基づいて、前記入力操作の種類を決定することが好ましい。
【００１７】
上記の構成によれば、入力操作決定手段は、マイクが規定レベルを超える音声を取得した場合のみ動作するため、ユーザが入力インターフェース装置の近辺で発生させた音と、周囲の雑音とを区別することができる。したがって、雑音が発生する環境であっても、入力操作を行うことができる。
【００１８】
本発明に係る入力インターフェース装置では、前記入力操作決定手段は、前記複数のマイクの各々が取得した音声から、前記入力インターフェース装置を搭載する機器が載置される物体と人指との接触音の波形を抽出する音声特徴抽出手段を備え、前記入力操作決定手段は、前記接触音の波形、および前記複数のマイクの各々が前記接触音を取得したタイミングに基づいて、前記入力操作の種類を決定することが好ましい。
【００１９】
上記の構成によれば、入力操作決定手段は、マイクが、入力インターフェース装置を搭載する機器が載置される物体と人指との接触音を取得した場合のみ動作するため、ユーザが入力インターフェース装置の近辺で発生させた音と、周囲の雑音とを区別することができる。したがって、雑音が発生する環境であっても、入力操作を行うことができる。また、接触音の波形は、肉声の波形に比べ単純であるため、入力インターフェース装置の構成を簡単にすることができる。
【００２０】
本発明に係る入力インターフェース装置では、前記入力操作決定手段は、前記波形に含まれるピークの数を、前記入力操作の種類を決定する判断基準としていることが好ましい。
【００２１】
本発明に係る入力インターフェース装置では、前記入力操作決定手段は、前記ピークの数が２以上である場合に、１つのピークを有する波形同士が途切れているか否かを、前記入力操作の種類を決定する判断基準としていることが好ましい。
【００２２】
本発明に係る入力インターフェース装置では、前記入力操作決定手段は、前記ピークの数が１である場合に、前記複数のマイクの各々が取得した音声の波形同士が同一であるか否かを、前記入力操作の種類を決定する判断基準としていることが好ましい。
【００２３】
これらの判断基準を用いることで、入力インターフェース装置に対するより多くの入力操作が可能となる。
【００２４】
本発明に係る入力インターフェース装置では、前記マイクの個数は２であることが好ましい。
【００２５】
上記の構成によれば、入力インターフェース装置の構成をより単純にすることができる。
【００２６】
本発明に係る電子機器は、ユーザの操作を受け付ける装置として、上記いずれかの入力インターフェース装置を搭載している。
【００２７】
本発明に係る携帯端末機器は、ユーザの操作を受け付ける装置として、上記いずれかの入力インターフェース装置を搭載している。
【００２８】
上記入力インターフェース装置は、コンピュータによって実現してもよく、この場合には、コンピュータを上記入力インターフェース装置の各手段として動作させるプログラム、及びそれを記録したコンピュータ読み取り可能な記録媒体も本発明に含まれる。
【発明の効果】
【００２９】
以上のように、本発明に係る入力インターフェース装置は、音声による入力操作を受け付ける入力インターフェース装置であって、互いに離間して配置される複数のマイクと、前記複数のマイクの各々が取得した音声の波形、および前記複数のマイクの各々が音声を取得したタイミングに基づいて、前記入力操作の種類を決定する入力操作決定手段と、を備える。したがって、簡単な構成で複数種類の操作を可能とする入力インターフェース装置を実現できるという効果を奏する。
【図面の簡単な説明】
【００３０】
【図１】本発明の実施形態に係る携帯電話機の構成を示すブロック図である。
【図２】上記携帯電話機の外観を示す正面図である。
【図３】（ａ）は、右方向のシングルノックによる入力操作を示す図であり、（ｂ）は、２つのマイクに入力される音声の特徴パターンを示す図である。
【図４】（ａ）は、左方向のシングルノックによる入力操作を示す図であり、（ｂ）は、２つのマイクに入力される音声の特徴パターンを示す図である。
【図５】（ａ）は、ダブルノックによる入力操作を示す図であり、（ｂ）は、２つのマイクに入力される音声の特徴パターンを示す図である。
【図６】（ａ）は、グラインド（ライン）による入力操作を示す図であり、（ｂ）は、２つのマイクに入力される音声の特徴パターンを示す図である。
【図７】（ａ）は、グラインド（サークル）による入力操作を示す図であり、（ｂ）は、２つのマイクに入力される音声の特徴パターンを示す図である。
【図８】携帯電話機および音声入力インターフェース装置の動作手順を示すフローチャートである。
【図９】図８に含まれる一部のステップをより詳細に示すフローチャートである。
【図１０】（ａ）は、トラバースによる入力操作を示す図であり、（ｂ）は、２つのマイクに入力される音声の特徴パターンを示す図である。
【図１１】（ａ）は、シンクノックによる入力操作を示す図であり、（ｂ）は、２つのマイクに入力される音声の特徴パターンを示す図である。
【図１２】右方向のシングルノックによって、１つ下のリンクへの選択の切り替えの操作を行う例を示す図である。
【図１３】右方向のダブルノックによって、選択されているリンクへのアクセスの操作を行う例を示す図である。
【発明を実施するための形態】
【００３１】
本発明の実施の一形態について図１〜図１３に基づいて説明すれば、以下のとおりである。
【００３２】
〔携帯電話機の構成〕
図１は、本実施形態に係る携帯電話機１００の構成を示すブロック図であり、図２は、携帯電話機１００の外観を示す正面図である。
【００３３】
図１に示すように、携帯電話機１００は、表示装置１、ＵＩ表示処理部２、カメラ装置３、カメラ装置制御部４、無線アンテナ５、無線通信制御部６、タッチパネル７、操作情報処理部８、制御部９および音声入力インターフェース装置１０を備えている。なお、携帯電話機１００は、特許請求の範囲に記載の電子機器および携帯端末機器に相当する。
【００３４】
表示装置１およびＵＩ表示処理部２は、図２に示す表示スクリーン２０に携帯電話機１００のユーザインタフェース画面を表示するものである。携帯電話機１００を薄型に構成するために、表示装置１として、液晶ディスプレイ、ＥＬディスプレイ、プラズマディスプレイのような平板型ディスプレイが好適に用いられる。
【００３５】
カメラ装置３は、携帯電話機１００に内蔵されており、カメラ装置制御部４は、ユーザの操作に応じてカメラ装置３を制御する。
【００３６】
無線アンテナ５および無線通信制御部６は、無線によって外部機器との通信を行うものである。これにより、携帯電話機１００は、他の電話機との通話、メールの送受信、ウェブサイトからのデータの受信等を行うことができる。
【００３７】
タッチパネル７は、図２に示す表示スクリーン２０上でタッチ操作を行うために設けられる入力機器である。タッチパネル７に対してタッチ操作が行われると、タッチパネル７は、タッチ位置に応じた信号を操作情報処理部８に出力する。なお、図２に示すように、携帯電話機１００は、入力機器として操作用ボタン２１も備えている。
【００３８】
制御部９は、携帯電話機１００が有する各種機能を制御する。
【００３９】
〔音声入力インターフェース装置の構成〕
音声入力インターフェース装置１０は、音声によって携帯電話機１００に対する入力操作を受け付ける装置であり、特許請求の範囲に記載の入力インターフェース装置に相当する。音声入力インターフェース装置１０が搭載されていることにより、タッチパネル７および操作用ボタン２１を用いることなく、すなわち、携帯電話機１００に触れることなく、携帯電話機１００に対する入力操作が可能となっている。
【００４０】
音声入力インターフェース装置１０は、２つのマイク１１Ｌ・１１Ｒ、音声ミキサー１２および入力操作決定部１３を備えている。
【００４１】
マイク１１Ｌ・１１Ｒは、通話用のマイクとは別に設けられたステレオマイクであり、図２に示すように、携帯電話機１００の上辺の左右両端に、互いに離間して搭載されている。各マイク１１Ｌ・１１Ｒは、取得した音声を電気信号に変換して、その電気信号を音声ミキサー１２に出力する。
【００４２】
音声ミキサー１２は、各マイク１１Ｌ・１１Ｒからの電気信号から、マイク１１Ｌ・１１Ｒが取得した音声の波形を検出する。当該波形のデータは、入力操作決定部１３に入力される。
【００４３】
入力操作決定部１３は、音声ミキサー１２から入力された波形のデータに基づいて、携帯電話機１００に対する入力操作の種類を決定するものであり、特許請求の範囲に記載の入力操作決定手段に相当する。より詳細には、入力操作決定部１３は、マイク１１Ｌ・１１Ｒの各々が音声を取得したタイミングおよびマイク１１Ｌ・１１Ｒの各々が取得した音声の波形に基づいて、入力操作の種類を決定する機能を有している。この機能を実現するために、入力操作決定部１３は、音声特徴抽出部１４、音声特徴検証部１５、操作情報変換部１６および音声認識パターンデータベース１７を備えている。
【００４４】
音声特徴抽出部１４は、特許請求の範囲に記載の音声特徴抽出手段に相当するものであり、入力された音声から特徴パターン（例えば、フォルマント）を抽出する機能を有している。音声特徴抽出部１４によって抽出された特徴パターンは、音声特徴検証部１５に出力される。なお、本明細書では、特徴パターンを音声特徴とも称する。
【００４５】
音声特徴検証部１５は、音声特徴抽出部１４によって抽出された特徴パターンに基づいて、変換パターンを決定する機能を有している。ここで、変換パターンとは、ユーザが携帯電話機１００に対して入力操作を行うための動作の種類を意味しており、当該動作として、携帯電話機１００が載置された机や台を叩いたり、擦ったりする動作が挙げられる。
【００４６】
音声認識パターンデータベース１７には、音声特徴抽出部１４の抽出対象となる音声の特徴パターンが記憶されている。具体的には、音声認識パターンデータベース１７には、机や台を人指で叩いた音、擦った音などのフォルマントが記憶されている。音声特徴検証部１５は、音声特徴抽出部１４によって抽出された特徴パターンと、音声認識パターンデータベース１７に記憶されている特徴パターンとのマッチングを行うことにより、変換パターンを決定する。
【００４７】
操作情報変換部１６は、音声特徴検証部１５が決定した変換パターンを、携帯電話機１００に対する操作情報に変換する機能を有している。操作情報とは、携帯電話機１００に対する入力操作の種類を意味しており、例えば、画面スクロール、リンク先の選択、決定などが挙げられる。変換パターンと操作情報との対応関係は、図示しないメモリに記憶されている。
【００４８】
〔変換パターンの具体例〕
続いて、音声入力インターフェース装置１０を用いて入力操作を行う場合の、変換パターンおよび操作情報の具体例について説明する。本実施形態では、変換パターンとして、シングルノック、ダブルノック、グラインド（ライン）およびグラインド（サークル）が設定されている。また、図３〜図７では、携帯電話機１００は、木製の机の上に載置されているものとする。また、以下の説明では、「右側」、「左側」等は、それぞれ、「携帯電話機１００に向かって右側」、「携帯電話機１００に向かって左側」等を意味する。
【００４９】
（シングルノック）
図３および図４は、シングルノックによる入力操作を示す図である。本明細書では、「ノック」は、床や台等を指先で叩く動作を意味する。したがって、「シングルノック」は、床や台等を指先で１回叩く動作を意味する。
【００５０】
図３（ａ）に示すように、ユーザが携帯電話機１００の右側の机上を１回叩くと、図１に示す音声特徴抽出部１４は、マイク１１Ｌ・１１Ｒに入力される音声から特徴パターンを抽出し、音声特徴検証部１５は、マイク１１Ｌ・１１Ｒに入力される音声の特徴パターンと音声認識パターンデータベース１７に記憶されている特徴パターンとのマッチングを行うとともに、マイク１１Ｌ・１１Ｒに入力される音声の入力タイミングを比較する。
【００５１】
この場合、マイク１１Ｒのほうが、マイク１１Ｌよりもノック地点に近いため、図３（ｂ）に示すように、マイク１１Ｒのほうが、音声の入力タイミングが早くなる。また、マイク１１Ｌ・１１Ｒに入力される各音声の波形には、１つのピークが含まれており、マイク１１Ｌに入力される音声の波形と、マイク１１Ｒに入力される音声の波形とは、ほぼ同一になる。
【００５２】
以上のような特徴パターンに基づき、音声特徴検証部１５は、変換パターンとして「右方向のシングルノック」を決定する。本実施形態では、「右方向のシングルノック」の変換パターンは、「上方向の一定量の画面スクロール」の操作に対応している。そのため、図１に示す操作情報変換部１６は、音声特徴検証部１５から「右方向のシングルノック」の変換パターンの情報を受け取ると、当該変換パターンを「上方向の一定量の画面スクロール」の操作情報に変換して、操作情報処理部８に出力する。これにより、図３（ａ）に示すように、ユーザが携帯電話機１００の右側の机上を１回叩くと、表示画面が上方向に一定量スクロールする。
【００５３】
同様に、図４（ａ）に示すように、ユーザが携帯電話機１００の左側の机上を１回叩くと、マイク１１Ｌのほうが、マイク１１Ｒよりもノック地点に近いため、図４（ｂ）に示すように、マイク１１Ｌのほうが、音声の入力タイミングが早くなる。また、マイク１１Ｒに入力される音声の波形と、マイク１１Ｌに入力される音声の波形とは、ほぼ同一になる。
【００５４】
このため、図１に示す音声特徴検証部１５は、変換パターンとして「左方向のシングルノック」を決定する。本実施形態では、「左方向のシングルノック」の変換パターンは、「下方向の一定量の画面スクロール」の操作に対応している。そのため、図１に示す操作情報変換部１６は、音声特徴検証部１５から「左方向のシングルノック」の変換パターンの情報を受け取ると、当該変換パターンを「下方向の一定量の画面スクロール」の操作情報に変換して、操作情報処理部８に出力する。これにより、図４（ａ）に示すように、ユーザが携帯電話機１００の左側の机上を１回叩くと、表示画面が下方向に一定量スクロールする。
【００５５】
このように、音声入力インターフェース装置１０では、マイク１１Ｌ・１１Ｒが音声を取得するタイミングを、音源の方向の判断基準として利用している。
【００５６】
（ダブルノック）
図５は、ダブルノックによる入力操作を示す図である。本実施形態では、「ダブルノック」は、床や台等を指先で素早く２回叩く動作を意味する。
【００５７】
図５（ａ）に示すように、ユーザが携帯電話機１００の右側の机上を素早く２回叩くと、マイク１１Ｒのほうが、マイク１１Ｌよりもノック地点に近いため、図５（ｂ）に示すように、マイク１１Ｌのほうが、音声の入力タイミングが早くなる。また、マイク１１Ｌに入力される音声の波形と、マイク１１Ｒに入力される音声の波形とは、ほぼ同一になる。
【００５８】
さらに、マイク１１Ｌ・１１Ｒの各波形では、２つのピークが含まれており、１つのピークを有する波形同士の間に、波の切れ目が存在する。図１に示す音声特徴検証部１５は、波の切れ目を検出した場合、当該切れ目を挟んだ２つの波のパターンを比較する。それらの２つの波のパターンが同様であれば、音声特徴検証部１５は、ダブルノックによる入力操作が行われたと判断する。また、図５（ｂ）に示す特徴パターンでは、マイク１１Ｒのほうがマイク１１Ｌよりも音声の入力タイミングが早いため、音声特徴検証部１５は、変換パターンとして「右方向のダブルノック」を決定する。
【００５９】
本実施形態では、「右方向のダブルノック」の変換パターンは、「上方向の１画面分の画面スクロール」の操作に対応している。そのため、図１に示す操作情報変換部１６は、音声特徴検証部１５から「右方向のダブルノック」の変換パターンの情報を受け取ると、当該変換パターンを「上方向の１画面分の画面スクロール」の操作情報に変換して、操作情報処理部８に出力する。これにより、図５（ａ）に示すように、ユーザが携帯電話機１００の右側の机上を素早く２回叩くと、表示画面が上方向に１画面分スクロールする。
【００６０】
同様に、ユーザが携帯電話機１００の左側の机上を素早く２回叩くと、表示画面が下方向に１画面分スクロールする。すなわち、本実施形態では、「左方向のダブルノック」の変換パターンは、「下方向の１画面分の画面スクロール」の操作に対応しており、図１に示す操作情報変換部１６は、音声特徴検証部１５から「左方向のダブルノック」の変換パターンの情報を受け取ると、当該変換パターンを「下方向の１画面分の画面スクロール」の操作情報に変換して、操作情報処理部８に出力する。
【００６１】
このように、音声特徴検証部１５は、マイク１１Ｌ・１１Ｒの各々が取得した音声の波形に含まれるピークの数が１つである、すなわち、マイク１１Ｌ・１１Ｒの各々が取得した音声が単音であるか連続音であるかに基づいて、シングルノックであるかダブルノックであるかの判断を行っている。すなわち、入力操作決定部１３は、マイク１１Ｌ・１１Ｒの各々が音声を取得したタイミングに加え、前記波形に含まれるピークの数を、前記入力操作の種類を決定する判断基準としている。
【００６２】
（グラインド（ライン））
図６は、グラインド（ライン）による入力操作を示す図である。本実施形態では、「グラインド（ライン）」は、携帯電話機１００の近辺で指を床や台等に接触したまま一方向に滑らせる動作を意味する。
【００６３】
例えば、図６（ａ）に示すように、ユーザが携帯電話機１００の左上側から右上側に指を滑らせると、マイク１１Ｌ・１１Ｒに入力される音声の特徴パターンは、図６（ｂ）に示すような波形となる。このとき、マイク１１Ｌのほうが、マイク１１Ｒよりもグラインド動作の開始地点に近いため、マイク１１Ｌのほうが、音声の入力タイミングが早くなる。また、音源がマイク１１Ｌに接近および離脱するタイミングは、音源がマイク１１Ｒに接近および離脱するタイミングと異なる。そのため、マイク１１Ｌに入力される音声の波形と、マイク１１Ｒに入力される音声の波形とでは、ピーク位置（波の振幅変化）が異なる。
【００６４】
すなわち、グラインド（ライン）の場合、マイク１１Ｌ・１１Ｒに入力される音声の各波形に、ピークが１つだけ含まれている点で、シングルノックの場合と共通している。一方、マイク１１Ｒに入力される音声の波形と、マイク１１Ｒに入力される音声の波形とが異なっている点で、シングルノックの場合と相違している。
【００６５】
以上のような特徴パターンに基づき、図１に示す音声特徴検証部１５は、変換パターンとして「右方向のグラインド（ライン）」を決定する。また、本実施形態では、「右方向のグラインド（ライン）」の変換パターンは、「右方向の１画面分の画面スクロール」の操作に対応している。そのため、図１に示す操作情報変換部１６は、音声特徴検証部１５から「右方向のグラインド（ライン）」の変換パターンの情報を受け取ると、当該変換パターンを「右方向の１画面分の画面スクロール」の操作情報に変換して、操作情報処理部８に出力する。これにより、図６（ａ）に示すように、ユーザが携帯電話機１００の左上側から右上側に指を滑らせると、表示画面が右方向に１画面分スクロールする。
【００６６】
同様に、ユーザが携帯電話機１００の右上側から左上側に指を滑らせると、表示画面が左方向に１画面分スクロールする。すなわち、本実施形態では、「左方向のグラインド（ライン）」の変換パターンは、「左方向の１画面分の画面スクロール」の操作に対応しており、図１に示す操作情報変換部１６は、音声特徴検証部１５から「左方向のグラインド（ライン）」の変換パターンの情報を受け取ると、当該変換パターンを「左方向の１画面分の画面スクロール」の操作情報に変換して、操作情報処理部８に出力する。
【００６７】
グラインド（ライン）の場合、シングルノックの場合と同様、マイク１１Ｌ・１１Ｒに入力される音声の波形に含まれるピークの数は１である。一方、グラインド（ライン）の場合、マイク１１Ｒに入力される音声の波形と、マイク１１Ｒに入力される音声の波形とが異なっている。これに基づき、音声特徴検証部１５は、グラインド（ライン）であるかシングルノックであるかの判断を行っている。すなわち、入力操作決定部１３は、前記ピークの数が１である場合に、マイク１１Ｌ・１１Ｒの各々が取得した音声の波形同士が同一であるか否かを、前記入力操作の種類を決定する判断基準としている。
【００６８】
（グラインド（サークル））
図７は、グラインド（サークル）による入力操作を示す図である。本実施形態では、「グラインド（サークル）」は、携帯電話機１００の近辺で指を床や台等に接触したまま円弧を描くように滑らせる動作を意味する。
【００６９】
例えば、図７（ａ）に示すように、ユーザが携帯電話機１００の上側で、携帯電話機１００の左側を始点に円弧を描くように指を滑らせると、マイク１１Ｌ・１１Ｒに入力される音声の特徴パターンは、図７（ｂ）に示すような波形となる。このとき、マイク１１Ｌのほうが、マイク１１Ｒよりもグラインド動作の開始地点に近いため、マイク１１Ｌのほうが、音声の入力タイミングが早くなる。また、音源がマイク１１Ｌに接近および離脱するタイミングは、音源がマイク１１Ｒに接近および離脱するタイミングと異なるため、マイク１１Ｌに入力される音声の波形と、マイク１１Ｒに入力される音声の波形とでは、ピーク位置が異なる。一方、ダブルノックの場合と異なり、マイク１１Ｌ・１１Ｒの各特徴パターンでは、１つのピークを有する複数の波形同士が途切れることなく連続している。
【００７０】
以上のような特徴パターンに基づき、図１に示す音声特徴検証部１５は、変換パターンとして「左側を始点とするグラインド（サークル）」を決定する。また、本実施形態では、「左側を始点とするグラインド（サークル）」の変換パターンは、「画面拡大」の操作に対応している。そのため、図１に示す操作情報変換部１６は、音声特徴検証部１５から「左側を始点とするグラインド（サークル）」の変換パターンの情報を受け取ると、当該変換パターンを「画面拡大」の操作情報に変換して、操作情報処理部８に出力する。これにより、図７（ａ）に示すように、ユーザが携帯電話機１００の上側で、携帯電話機１００の左側を始点に円弧を描くように指を滑らせると、表示画面が拡大する。
【００７１】
同様にユーザが携帯電話機１００の上側で、携帯電話機１００の右側を始点に円弧を描くように指を滑らせると、表示画面が縮小する。すなわち、本実施形態では、「右側を始点とするグラインド（サークル）」の変換パターンは、「画面縮小」の操作に対応しており、図１に示す操作情報変換部１６は、音声特徴検証部１５から「右側を始点とするグラインド（サークル）」の変換パターンの情報を受け取ると、当該変換パターンを「画面縮小」の操作情報に変換して、操作情報処理部８に出力する。
【００７２】
グラインド（サークル）の場合、ダブルノックの場合と同様、マイク１１Ｌ・１１Ｒに入力される音声の波形には、複数のピークが含まれる。一方、グラインド（サークル）の場合、１つのピークを有する複数の波形同士が途切れることなく連続している。これに基づき、音声特徴検証部１５は、グラインド（サークル）であるかダブルノックであるかの判断を行っている。すなわち、入力操作決定部１３は、前記ピークの数が２以上である場合に、１つのピークを有する波形同士が途切れているか否かを、前記入力操作の種類を決定する判断基準としている。
【００７３】
なお、携帯電話機１００の近辺において、指を床や台等に接触したまま左右に往復して滑らせることによっても、グラインド（サークル）の動作を行った場合と同様の効果を得ることができる。
【００７４】
〔フローチャート〕
続いて、携帯電話機１００および音声入力インターフェース装置１０の動作手順について、図８および図９に示すフローチャートに基づいて説明する。
【００７５】
図８に示すように、携帯電話機１００の電源投入後、ユーザの操作等によりフリーハンドモードが開始されると（ステップＳ１）、図１に示す制御部９は、音声入力インターフェース装置１０を起動する（ステップＳ２）。これにより、携帯電話機１００は、音声入力待ち状態となる（ステップＳ３）。
【００７６】
ここで、ユーザが携帯電話機１００の近辺を叩く動作等を行うことにより、マイク１１Ｌ・１１Ｒに規定レベルを超える音声の入力があった場合（ステップＳ４において「ＹＥＳ」）、音声特徴抽出部１４は、音声特徴（フォルマント）の抽出を行い、音声特徴検証部１５は、抽出された音声特徴と、音声認識パターンデータベースに記憶された音声特徴とのパターンマッチングを行う（ステップＳ５）。
【００７７】
音声特徴抽出部１４によって抽出された音声特徴が、音声認識パターンデータベースに記憶された音声特徴のいずれかと一致した場合（ステップＳ６において「ＹＥＳ」）、音声特徴検証部１５は、当該音声特徴と、マイク１１Ｌ・１１Ｒの各々が音声を取得したタイミングに基づき、変換パターンを決定する（ステップＳ７）。この変換パターンは、操作情報変換部１６によって操作情報へ変換され、この操作情報は、操作情報処理部８に伝達される（ステップＳ８）。これにより、画面スクロールなどの操作情報に応じた動作が行われる。
【００７８】
その後、ユーザの操作等によりフリーハンドモードが終了すると（ステップＳ９において「ＹＥＳ」）、制御部９は、音声入力インターフェース装置１０を終了する（ステップＳ１０）。
【００７９】
図９は、図８に示すステップＳ７の詳細な手順を示すフローチャートである。図８に示すステップＳ６において「ＹＥＳ」の場合、図９に示すように、音声特徴検証部１５は、右チャネルの入力（すなわち、右側のマイク１１Ｒへの音声入力）のほうが、左チャネルの入力（すなわち、左側のマイク１１Ｌへの音声入力）よりも早いか否か検証する（ステップＳ７０）。
【００８０】
ここで、右チャネルの入力のほうが左チャネルの入力よりも早い場合（ステップＳ７０において「ＹＥＳ」）、音声特徴検証部１５は、図示しないメモリに、音声の入力方向として「右」を記憶する（ステップＳ７１）。一方、左チャネルの入力のほうが右チャネルの入力よりも早い場合（ステップＳ７０において「ＮＯ」）、音声特徴検証部１５は、図示しないメモリに、音声の入力方向として「左」を記憶する（ステップＳ７２）。
【００８１】
続いて、音声特徴検証部１５は、各マイク１１Ｌ・１１Ｒの音声特徴において、２つ以上の波が連続しているか否かを検証する（ステップＳ７３）。
【００８２】
ここで、２つ以上の波が連続している場合（ステップＳ７３において「ＹＥＳ」）、音声特徴検証部１５は、さらに、音が途切れることなく続いているか否かを検証する（ステップＳ７４）。音が途切れることなく続いている場合（ステップＳ７４において「ＹＥＳ」）、音声特徴検証部１５は、変換パターンとして「グラインド（サークル）」を決定する（ステップＳ７５）。一方、音が途切れている場合（ステップＳ７４において「ＮＯ」）、音声特徴検証部１５は、変換パターンとして「ダブルノック」を決定する（ステップＳ７６）。
【００８３】
また、各マイク１１Ｌ・１１Ｒの音声特徴において、１つの波のみが存在している場合（ステップＳ７３において「ＮＯ」）、音声特徴検証部１５は、さらに、音量の増減が同じ傾向であるか否か検証する（ステップＳ７７）。音量の増減が同じ傾向である場合（ステップＳ７７において「ＹＥＳ」）、音声特徴検証部１５は、変換パターンとして「シングルノック」を決定する（ステップＳ７８）。一方、音量の増減が同じ傾向でない場合（ステップＳ７７において「ＮＯ」）、音声特徴検証部１５は、変換パターンとして「グラインド（ライン）」を決定する（ステップＳ７９）。
【００８４】
〔他の変換パターン〕
上記では、音声特徴検証部１５が決定する変換パターンとして、シングルノック、ダブルノック、グラインド（ライン）およびグラインド（サークル）を説明したが、変換パターンはこれらに限定されない。また、上記では、携帯電話機１００に対する操作として、上下方向の一定量の画面スクロール、上下方向の１画面分の画面スクロール、左右方向の１画面分の画面スクロール、画面拡大および画面縮小を説明したが、本発明はこれらに限定されない。以下では、他の変換パターンおよび操作情報の例について説明する。
【００８５】
（トラバース）
図１０は、トラバースによる入力操作を示す図である。図１０（ａ）に示すように、ユーザが携帯電話機１００の左側および右側の机上をこの順に連続して叩くと、マイク１１Ｌ・１１Ｒに入力される音声の特徴パターンは図１０（ｂ）に示すような波形となる。１回目のノック位置は、マイク１１Ｌのほうが近いため、マイク１１Ｌのほうが、音声の入力タイミングが早くなる。一方、２回目のノック位置は、マイク１１Ｌのほうが遠いため、マイク１１Ｌのほうが、音声の入力タイミングが若干遅くなる。また、マイク１１Ｌでは、２回目のノックの入力レベルは、１回目のノックの入力レベルよりも小さくなるのに対し、マイク１１Ｒでは、２回目のノックの入力レベルは、１回目のノックの入力レベルよりも大きくなる。また、マイク１１Ｌに入力される１回目のノックに対応する波形と、マイク１１Ｒに入力される１回目のノックに対応する波形とはほぼ同一であり、マイク１１Ｌに入力される２回目のノックに対応する波形と、マイク１１Ｒに入力される２回目のノックに対応する波形とはほぼ同一である。
【００８６】
以上のような特徴パターンに基づき、図１に示す音声特徴検証部１５は、変換パターンとして「左側から右側へのトラバース」を決定する。また、本実施形態では、「左側から右側へのトラバース」の変換パターンは、「１つ下のリンクへの選択の切り替え」の操作に対応している。そのため、図１に示す操作情報変換部１６は、音声特徴検証部１５から「左側から右側へのトラバース」の変換パターンの情報を受け取ると、当該変換パターンを「１つ下のリンクへの選択の切り替え」の操作情報に変換して、操作情報処理部８に出力する。これにより、図１０（ａ）に示すように、ユーザが携帯電話機１００の左側および右側の机上をこの順に連続して叩くと、例えば、リンクＢが選択されている状態から、１つ下のリンクＣが選択されている状態に切り替わる。
【００８７】
同様に、ユーザが携帯電話機１００の右側および左側の机上をこの順に連続して叩くと、例えば、リンクＢが選択されている状態から、１つ上のリンクＡが選択されている状態に切り替わる。すなわち、本実施形態では、「右側から左側へのトラバース」の変換パターンは、「１つ上のリンクへの選択の切り替え」の操作に対応している。そのため、図１に示す操作情報変換部１６は、音声特徴検証部１５から「右側から左側へのトラバース」の変換パターンの情報を受け取ると、当該変換パターンを「１つ上のリンクへの選択の切り替え」の操作情報に変換して、操作情報処理部８に出力する。
【００８８】
（シンクノック）
図１１は、シンクノックによる入力操作を示す図である。図１１（ａ）に示すように、ユーザが携帯電話機１００の左側および右側の机上を同時に叩くと、マイク１１Ｌ・１１Ｒに入力される音声の特徴パターンは図１１（ｂ）に示すようなパターンとなる。すなわち、各マイク１１Ｌ・１１Ｒへの音声の入力タイミングはほぼ同一となり、マイク１１Ｌに入力される音声の波形と、マイク１１Ｒに入力される音声の波形とは、ほぼ同一になる。さらに、もう一方のマイクからの音が重なることにより、各マイク１１Ｌ・１１Ｒへの音声の入力レベルが上がる。
【００８９】
以上のような特徴パターンに基づき、図１に示す音声特徴検証部１５は、変換パターンとして「シンクノック」を決定する。また、本実施形態では、「シンクノック」の変換パターンは、「選択されているリンクへのアクセス」の操作に対応している。そのため、図１に示す操作情報変換部１６は、音声特徴検証部１５から「シンクノック」の変換パターンの情報を受け取ると、当該変換パターンを「選択されているリンクへのアクセス」の操作情報に変換して、操作情報処理部８に出力する。これにより、図１１（ａ）に示すように、ユーザが携帯電話機１００の左側および右側の机上を同時に叩くと、選択されているリンクＣへのアクセスが開始される。
【００９０】
なお、ユーザが携帯電話機１００の左側および右側の机上を同時に叩いた場合、実際には、各マイク１１Ｌ・１１Ｒへの音声の入力タイミングには僅かなズレがある。そのため、各マイク１１Ｌ・１１Ｒへの音声の入力タイミングの差が所定時間以内である場合に、音声特徴検証部１５は、各マイク１１Ｌ・１１Ｒへの音声の入力タイミングが同一であると判断してもよい。
【００９１】
なお、アクセス対象は、選択されているリンクだけでなく、ボタンなどのＵＩ部品であってもよい。
【００９２】
〔まとめ〕
以上のように、本実施形態に係る音声入力インターフェース装置１０は、互いに離間して配置される２つのマイク１１Ｌ・１１Ｒと、マイク１１Ｌ・１１Ｒの各々が取得した音声の波形、およびマイク１１Ｌ・１１Ｒの各々が音声を取得したタイミングに基づいて、入力操作の種類を決定する入力操作決定部１３を備えている。これにより、ユーザは、携帯電話機１００に触れることなく、携帯電話機１００に対する複数種類の操作を行うことできる。
【００９３】
また、入力操作決定部１３は、マイク１１Ｌ・１１Ｒの各々が音声を取得したタイミングに加え、
・マイク１１Ｌ・１１Ｒの各々が取得した音声の波形に含まれるピークの数、
・前記ピークの数が１である場合に、マイク１１Ｌ・１１Ｒの各々が取得した音声の波形同士が同一であるか否か、
・前記ピークの数が２以上である場合に、１つのピークを有する波形同士が途切れているか否か、
を入力操作の種類を決定するための主な判断基準としている。これにより、ユーザは携帯電話機１００に対して、上下方向の一定量の画面スクロール、上下方向の１画面分の画面スクロール、左右方向の１画面分の画面スクロール、画面拡大および画面縮小といった様々な操作を行うことができる。
【００９４】
本実施形態では、変換パターンとして「右方向のシングルノック」、「左方向のシングルノック」、「右方向のダブルノック」、「左方向のダブルノック」、「右方向のグラインド（ライン）」、「左方向のグラインド（ライン）」、「右側を始点とするグラインド（サークル）」、「左側を始点とするグラインド（サークル）」、「右側から左側へのトラバース」、「左側から右側へのトラバース」および「シンクノック」の１１の変換パターンが設定されている。さらに、変換パターンと操作情報とを下記の表１に示すように対応付けることにより、一般的な携帯電話機における主要な操作の全てを、音声入力インターフェース装置１０によって実行することができる。
【００９５】
【表１】
2013156768.tif 000003
【００９６】
なお、上記の変換パターンと操作情報との対応関係は、あくまで例示であり、任意に設定可能である。例えば、上記では、「右方向のシングルノック」の変換パターンは、「上方向の一定量の画面スクロール」の操作に対応していたが、図１２に示すように、「右方向のシングルノック」の変換パターンを「１つ下のリンクへの選択の切り替え」の操作に対応させてもよい。また、上記では、「右方向のダブルノック」の変換パターンは、「上方向の１画面分の画面スクロール」の操作に対応していたが、図１３に示すように、「選択されているリンクへのアクセス」の操作に対応させてもよい。
【００９７】
また、音声入力インターフェース装置１０によって実行される操作は、上記に限定されず、音声入力インターフェース装置１０が搭載される電子機器によって任意に設定可能である。例えば、画面を更新する、１つ前の画面に戻る、電源を切る、等の操作を変換パターンと対応させてもよい。
【００９８】
なお、音声入力インターフェース装置１０が搭載される機器に必要な入力操作の数（複雑さ）に応じて、上述の判断基準の少なくともいずれかを省略してもよい。
【００９９】
〔ソフトウェアによる実施例〕
音声入力インターフェース装置１０の各ブロック、特に入力操作決定部１３、音声特徴抽出部１４、音声特徴検証部１５および操作情報変換部１６は、集積回路（ＩＣチップ）上に形成された論理回路によってハードウェア的に実現してもよいし、ＣＰＵ（Central Processing Unit）を用いてソフトウェア的に実現してもよい。
【０１００】
後者の場合、音声入力インターフェース装置１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである音声入力インターフェース装置１０の制御プログラムのプログラムコード（実行形式プログラム、中間コードプログラム、ソースプログラム）をコンピュータで読み取り可能に記録した記録媒体を、携帯電話機１００に供給し、そのコンピュータ（またはＣＰＵやＭＰＵ）が記録媒体に記録されているプログラムコードを読み出し実行することによっても、達成可能である。
【０１０１】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１０２】
また、音声入力インターフェース装置１０を搭載した携帯電話機１００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話機網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０３】
〔付記事項〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０４】
例えば、上述した実施形態では、２つのマイク１１Ｌ・１１Ｒが携帯電話機１００の左右に離間して搭載されていたが、マイク１１Ｌ・１１Ｒを搭載する位置はこれに限定されない。例えば、２つのマイク１１Ｌ・１１Ｒを携帯電話機の上下に搭載してもよい。また、２つのマイク１１Ｌ・１１Ｒのうち、少なくともいずれかを通話用のマイクと兼用させてもよい。
【０１０５】
さらに、携帯電話機１００にステレオ録画機能が搭載されている場合、当該機能に使用されるステレオマイクを、マイク１１Ｌ・１１Ｒとして利用することができる。この場合、マイク１１Ｌ・１１Ｒを新たに追加するためのコストが不要となる。
【０１０６】
なお、マイクの個数は３以上であってもよい。
【０１０７】
また、上述した実施形態では、音声認識パターンデータベース１７には、音声特徴抽出部１４の抽出対象となる音声の特徴パターンとして、机や台を人指で叩いた音、擦った音などのフォルマントが記憶されていた。しかしながら、音声認識パターンデータベース１７に記憶される音声の特徴パターンはこれに限定されず、音声入力インターフェース装置１０を搭載する携帯電話機１００が載置される物体の材質等に応じて、適宜設定可能である。
【０１０８】
なお、携帯電話機１００が載置される物体と人指との接触音の特徴パターンを音声認識パターンデータベース１７に記憶させることにより、肉声操作に対応した音声入力インターフェース装置と比較して、データベースの記憶サイズを抑えることができる。よって、音声入力インターフェース装置１０の構成を簡単にすることができる。
【０１０９】
さらに、音声認識パターンデータベース１７が記憶する内容を、ユーザによって書き換え可能としてもよい。その場合、ソフトウェア開発でよく用いられる「プラグイン形式」を利用することができる。すなわち、音声認識パターンデータのそれぞれを、あらかじめ決めておいたデータ構造でファイルとして格納しておき、音声認識機能を利用するソフトウェア（アプリケーション）を起動したときに、それらプラグインデータのファイルを探索することで、対応しているパターンを抽出する。この方法であれば、ファイルを追加するだけで、音声の特徴パターンを音声認識パターンデータベース１７に追加することができる。
【産業上の利用可能性】
【０１１０】
本発明に係る入力インターフェース装置は、携帯端末機器に限らず、ユーザの入力操作が必要なあらゆる電子機器に利用することができる。
【符号の説明】
【０１１１】
１    表示装置
２    ＵＩ表示処理部
３    カメラ装置
４    カメラ装置制御部
５    無線アンテナ
６    無線通信制御部
７    タッチパネル
８    操作情報処理部
９    制御部
１０    音声入力インターフェース装置（入力インターフェース装置）
１１Ｌ  マイク
１１Ｒ  マイク
１２    音声ミキサー
１３    入力操作決定部（入力操作決定手段）
１４    音声特徴抽出部（音声特徴抽出手段）
１５    音声特徴検証部
１６    操作情報変換部
１７    音声認識パターンデータベース
２０    表示スクリーン
２１    操作用ボタン
１００  携帯電話機（電子機器、携帯端末機器）
【図１】
2013156768.tif 000004
【図２】
2013156768.tif 000005
【図３】
2013156768.tif 000006
【図４】
2013156768.tif 000007
【図５】
2013156768.tif 000008
【図６】
2013156768.tif 000009
【図７】
2013156768.tif 000010
【図８】
2013156768.tif 000011
【図９】
2013156768.tif 000012
【図１０】
2013156768.tif 000013
【図１１】
2013156768.tif 000014
【図１２】
2013156768.tif 000015
【図１３】
2013156768.tif 000016